(57)【特許請求の範囲】
【請求項１】
一方端部側が閉塞されるとともに他方端部側が開口された筒状の胴部を有する袋体であって、
前記胴部は、前記一方端部側から前記他方端部側へ延びる第１の縁を持つ第１のシート部分と、前記一方端部側から前記他方端部側へ延びる第２の縁を持つ第２のシート部分とを含み、
前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、
前記封筒貼り状に重ね合わされた前記第１及び第２のシート部分の前記領域間が、前記第１のシート部分の前記第１の縁に沿った縁部領域の少なくとも一部を非接着領域として除いた接着領域において、接着され、
前記第１のシート部分の前記非接着領域の端縁に、間隔をあけて２つの引き裂き用切り込みが形成され、
前記第１及び第２のシート部分の少なくとも一方は、前記２つの引き裂き用切り込み間の前記第１のシート部分の前記非接着領域に対して引き裂き方向に並んだ前記接着領域において、易破壊層を含む２層以上の積層構造を有し、
前記２つの引き裂き用切り込み間の前記第１のシート部分の前記非接着領域を摘まんで前記第１及び第２の縁と交差する引き裂き方向に引っ張ることにより、前記易破壊層が破壊されることで、前記引き裂き方向に並んだ前記接着領域において、前記摘まんだ側が残りの側から分離されるように、前記第１及び第２のシート部分の各層間の接着強度及び各層の強度が設定され、
前記封筒貼り状に重ね合わされた前記第１及び第２のシート部分の前記接着領域間の接着は、接着剤による接着であり、
前記第１のシート部分の前記接着領域における前記接着剤の側の層が紙であり、
前記第２のシート部分の前記接着領域における前記接着剤の側の層が紙であり、
前記第１のシート部分の前記接着領域における前記接着剤の側の前記層及び前記第２のシート部分の前記接着領域における前記接着剤の側の前記層のうちの少なくとも一方が前記易破壊層をなす、
ことを特徴とする袋体。
【請求項２】
前記２つの引き裂き用切り込み間の前記間隔は、前記２つの引き裂き用切り込み間の前記第１のシート部分の前記非接着領域を摘まむことができる程度に、狭いことを特徴とする請求項１記載の袋体。
【請求項３】
前記胴部は１枚のシートで構成され、前記第１及び第２のシート部分はそれぞれ前記１枚のシートの一部であることを特徴とする請求項１又は２記載の袋体。
【請求項４】
前記１枚のシートは、それぞれが紙からなる両側の最外層と、前記両側の最外層間に介在し、前記胴部の胴回り方向に直線カット性が付与された層と、を有することを特徴とする請求項３記載の袋体。
【請求項５】
前記第１のシート部分において、前記２つの引き裂き用切り込みのうちの少なくとも１つの引き裂き用切り込みの延長線上に、引き裂き用ガイドとなるミシン目あるいは連続又は断続した半抜きのラインが形成されたことを特徴とする請求項１乃至４のいずれかに記載の袋体。
【請求項６】
前記第１のシート部分における前記２つの引き裂き用切り込み間の領域及びこれに対して前記引き裂き方向に並んだ領域を除く領域において、前記第１の縁を跨がるように前記第１及び第２のシート部分の外側面に貼り付けられたシートを備えたことを特徴とする請求項１乃至５のいずれかに記載の袋体。
【請求項７】
前記袋体が、前記胴部の前記一方端部側を閉塞する角底部を有する角底袋であることを特徴とする請求項１乃至６のいずれかに記載の袋体。
【請求項８】
一方端部側及び他方端部側が閉塞された筒状の胴部を有する袋体の内部に、所望の収容物を収容してなる袋詰め体であって、
前記胴部は、前記一方端部側から前記他方端部側へ延びる第１の縁を持つ第１のシート部分と、前記一方端部側から前記他方端部側へ延びる第２の縁を持つ第２のシート部分とを含み、
前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、
前記封筒貼り状に重ね合わされた前記第１及び第２のシート部分の前記領域間が、前記第１のシート部分の前記第１の縁に沿った縁部領域の少なくとも一部を非接着領域として除いた接着領域において、接着され、
前記第１のシート部分の前記非接着領域の端縁に、間隔をあけて２つの引き裂き用切り込みが形成され、
前記第１及び第２のシート部分の少なくとも一方は、前記２つの引き裂き用切り込み間の前記第１のシート部分の前記非接着領域に対して引き裂き方向に並んだ前記接着領域において、易破壊層を含む２層以上の積層構造を有し、
前記２つの引き裂き用切り込み間の前記第１のシート部分の前記非接着領域を摘まんで前記第１及び第２の縁と交差する引き裂き方向に引っ張ることにより、前記易破壊層が破壊されることで、前記引き裂き方向に並んだ前記接着領域において、前記摘まんだ側が残りの側から分離されるように、前記第１及び第２のシート部分の各層間の接着強度及び各層の強度が設定され、
前記封筒貼り状に重ね合わされた前記第１及び第２のシート部分の前記接着領域間の接着は、接着剤による接着であり、
前記第１のシート部分の前記接着領域における前記接着剤の側の層が紙であり、
前記第２のシート部分の前記接着領域における前記接着剤の側の層が紙であり、
前記第１のシート部分の前記接着領域における前記接着剤の側の前記層及び前記第２のシート部分の前記接着領域における前記接着剤の側の前記層のうちの少なくとも一方が前記易破壊層をなす、
ことを特徴とする袋詰め体。
【請求項９】
前記２つの引き裂き用切り込み間の前記間隔は、前記２つの引き裂き用切り込み間の前記第１のシート部分の前記非接着領域を摘まむことができる程度に、狭いことを特徴とする請求項８記載の袋詰め体。
【請求項１０】
前記胴部は１枚のシートで構成され、前記第１及び第２のシート部分はそれぞれ前記１枚のシートの一部であることを特徴とする請求項８又は９記載の袋詰め体。
【請求項１１】
前記１枚のシートは、それぞれが紙からなる両側の最外層と、前記両側の最外層間に介在し、前記胴部の胴回り方向に直線カット性が付与された層と、を有することを特徴とする請求項１０記載の袋詰め体。
【請求項１２】
前記第１のシート部分において、前記２つの引き裂き用切り込みのうちの少なくとも１つの引き裂き用切り込みの延長線上に、引き裂き用ガイドとなるミシン目あるいは連続又は断続した半抜きのラインが形成されたことを特徴とする請求項８乃至１１のいずれかに記載の袋詰め体。
【請求項１３】
前記第１のシート部分における前記２つの引き裂き用切り込み間の領域及びこれに対して前記引き裂き方向に並んだ領域を除く領域において、前記第１の縁を跨がるように前記第１及び第２のシート部分の外側面に貼り付けられたシートを備えたことを特徴とする請求項８乃至１２のいずれかに記載の袋詰め体。
【請求項１４】
前記袋体が、前記胴部の前記一方端部側を閉塞する角底部を有する角底袋であることを特徴とする請求項８乃至１３のいずれかに記載の袋詰め体。
【発明の詳細な説明】
【技術分野】
【０００１】
本発明は、所望の収容物を収容する袋体及び袋詰め体に関するものである。
【背景技術】
【０００２】
容易に開封することができる袋体として、特許文献１には、少なくともその構成に横１軸延伸フィルムを含むフィルムにより製袋されるピロータイプの袋において、合掌部端部を非接着部とし、センターシール部を弱シールとし、かつ、合掌部片の端部に２本のノッチを設けたことを特徴とする易開封包材が、開示されている。
【先行技術文献】
【特許文献】
【０００３】
【特許文献１】特開平１０−８６９４８号公報
【発明の概要】
【発明が解決しようとする課題】
【０００４】
しかしながら、特許文献１に開示された易開封包材では、２本のノッチが形成される合掌貼り部の端辺を摘み、引き裂く際に合掌貼りシールされている部分が立ち上がる状態になるために、包装袋と合掌貼りシールされている部分を片側の手で押さえて摘み部をさらに前の方向に引き裂く力が必要となる等、容易に引き裂くことができない。
【０００５】
また、前記特許文献１には、センターシールを弱シールにすることにより易開封が可能であると記載され、弱シールを形成するために易開封性樹脂の改良、例えばヒートシール阻害成分のブレンド等による易開封化、あるいは溶液タイプまたはエマルジョンタイプの接着剤を基材フイルムの内面に塗布することにより弱シール部を形成することも記載されている。しかし、阻害成分のブレンド等により弱シール部を形成する場合、ブレンド材の選定あるいはブレンド材の量により、接着シールする際のシール温度あるいはシール時間等により接着強度が非常にばらつく。また、溶液タイプまたはエマルジョンタイプの接着剤を基材フイルムの内面に塗布することにより弱シール部を形成する場合も、接着剤の塗布量あるいは塗布ムラ等により接着シール強度のムラが生じる。
【０００６】
さらに、特許文献１に開示された易開封包材では、引き裂き用切れ目のノッチが形成されている先が僅かの長さで弱シール性を考慮した基材フイルム同士が合掌貼り状態で接着シールされているために接着強度も強く、引き裂きのきっかけをもたらす状態でなく、引き裂き難い。一方、その接着強度を弱めてしまうと、袋体が不用意に開封してしまうおそれが生ずる。
【０００７】
本発明は、このような事情に鑑みてなされたもので、袋体毎のばらつきが少ないほぼ一定の比較的小さな力で容易に開封することができるとともに、不用意に開封してしまうおそれがない袋体、及び、これを用いた袋詰め体を提供することを目的とする。
【課題を解決するための手段】
【０００８】
前記課題を解決するための手段として、以下の各態様を提示する。第１の態様による袋体は、一方端部側が閉塞されるとともに他方端部側が開口された筒状の胴部を有する袋体であって、前記胴部は、前記一方端部側から前記他方端部側へ延びる第１の縁を持つ第１のシート部分と、前記一方端部側から前記他方端部側へ延びる第２の縁を持つ第２のシート部分とを含み、前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、前記封筒貼り状に重ね合わされた前記第１及び第２のシート部分の前記領域間が、前記第１のシート部分の前記第１の縁に沿った縁部領域の少なくとも一部を非接着領域として除いた接着領域において、接着され、前記第１のシート部分の前記非接着領域の端縁に、間隔をあけて２つの引き裂き用切り込みが形成され、前記第１及び第２のシート部分の少なくとも一方は、前記２つの引き裂き用切り込み間の前記第１のシート部分の前記非接着領域に対して引き裂き方向に並んだ前記接着領域において、易破壊層を含む２層以上の積層構造を有し、前記２つの引き裂き用切り込み間の前記第１のシート部分の前記非接着領域を摘まんで前記第１及び第２の縁と交差する引き裂き方向に引っ張ることにより、前記易破壊層が破壊されることで、前記引き裂き方向に並んだ前記接着領域において、前記摘まんだ側が残りの側から分離されるように、前記第１及び第２のシート部分の各層間の接着強度及び各層の強度が設定されたものである。
【０００９】
前記積層構造は、前記易破壊層の他に合成樹脂層を含むことが好ましい。また、前記引き裂き用切り込みは、３つ以上でもよく、例えば、当該切り込みとしてＶノッチを連続的に多数形成してもよい。
【００１０】
本願明細書において、易破壊層とは、通常の使用状態では隣に積層される層との積層状態を保持することができるが、特に工具等を用いずとも人手により隣の層を引き剥がすよう外力を作用させることで容易に２層に破壊（層間破壊）される層を意味する。その破壊面には粘着性がなくてもよく、その破壊面に粘着性がない易破壊層を非粘着性易破壊層と呼ぶ場合がある。
【００１１】
この第１の態様によれば、前記第１及び第２のシート部分が封筒貼り状にされているので、前記２つの引き裂き用切り込み間の前記第１のシート部分の前記非接着領域を摘まんで前記第１及び第２の縁と交差する引き裂き方向に引っ張ることにより、当該袋体を開封することができる。したがって、前記第１の態様によれば、特許文献１に開示された易開封包材のような合掌貼りシールが施されている袋体と異なり、接着されている部分が立ち上がる状態にならないので、容易に開封することができる。
【００１２】
また、前記第１の態様では、前記第１及び第２のシート部分の少なくとも一方は、前記２つの引き裂き用切り込み間の前記第１のシート部分の前記非接着領域に対して引き裂き方向に並んだ前記接着領域において、易破壊層を含む２層以上の積層構造を有し、前記２つの引き裂き用切り込み間の前記第１のシート部分の前記非接着領域を摘まんで前記第１及び第２の縁と交差する引き裂き方向に引っ張ることにより、前記易破壊層が破壊されることで、前記引き裂き方向に並んだ前記接着領域において、前記摘まんだ側が残りの側から分離されるように、前記第１及び第２のシート部分の各層間の接着強度及び各層の強度が設定されている。したがって、前記第１の態様によれば、開封に際して易破壊層の破壊が巧みに利用され、前記引っ張りによる力が易破壊層に面状ではなく線状に加わることで、易破壊層に破壊力が集中するため、比較的小さい力で易破壊層が破壊する。このため、前記第１の態様によれば、比較的小さな力で開封することができる。一方、開封操作をしない限り、易破壊層には破壊力が集中することはないため、不用意に開封してしまうおそれがない。また、前記第１の態様によれば、開封に際して易破壊層の破壊が巧みに利用されるので、前記第１及び第２のシート部分の各層間の接着強度及び易破壊層以外の層の強度が高くても、比較的小さい力で開封することができる。このため、前記第１の態様によれば、弱シールや弱接着を使用せずに比較的小さい力で開封することができるので、袋体毎のばらつきが少ないほぼ一定の比較的小さな力で開封することができる。また、前記第１の態様によれば、弱シールや弱接着を使用せずに済むので、製造時において、その弱シールや弱接着の強度のばらつきが少なくなるような厳密な管理が不要になることから、当該袋体の製造が容易となる。
【００１３】
第２の態様による袋体は、前記第１の態様において、前記胴部は１枚のシートで構成され、前記第１及び第２のシート部分はそれぞれ前記１枚のシートの一部であるものである。
【００１４】
この第２の態様によれば、前記第１及び第２のシート部分が同じ１枚のシートを構成しているので、容易に製造することができる。もっとも、前記第１の態様では、前記第１のシート部分を構成するシートと前記第２のシート部分を構成するシートとが、別のシートであってもよい。
【００１５】
第３の態様による袋体は、前記第１又は第２の態様において、前記易破壊層が紙であるものである。
【００１６】
この第３の態様は、前記易破壊層の例として紙を挙げたものである。もっとも、前記第１及び第２の態様では、易破壊層の具体的な材料は何ら限定されず、例えば、特許第３４７７１７８号公報に開示されているような非粘着性易破壊層（例えば、バインダーとこのバインダーの中に含まれる充填剤及び気泡とを有したもの）を採用してもよいし、ポリエステル合成紙（例えば、東洋紡株式会社製の「クリスパー」と称する商品などの、内部に空洞を含有するポリエステル系二軸延伸フィルム）などを採用してもよい。
【００１７】
第４の態様による袋体は、前記第１乃至第３のいずれかの態様において、前記封筒貼り状に重ね合わされた前記第１及び第２のシート部分の前記接着領域間の接着は、ヒートシールによる接着であるものである。この第４の態様は、前記接着の例を挙げたものである。
【００１８】
第５の態様による袋体は、前記第１乃至第３のいずれかの態様において、前記封筒貼り状に重ね合わされた前記第１及び第２のシート部分の前記接着領域間の接着は、接着剤による接着であるものである。この第５の態様は、前記接着の他の例を挙げたものである。
【００１９】
第６の態様による袋体は、前記第５の態様において、前記第１のシート部分の前記接着領域における前記接着剤の側の層が紙であり、前記第２のシート部分の前記接着領域における前記接着剤の側の層が紙であり、前記第１のシート部分の前記接着領域における前記接着剤の側の前記層及び前記第２のシート部分の前記接着領域における前記接着剤の側の前記層のうちの少なくとも一方が前記易破壊層をなすものである。
【００２０】
この第６の態様によれば、前記第１のシート部分と前記第２のシート部分との間の接着剤による接着が紙同士の接着であるので、その接着を強固に行うことが容易になるとともに、当該接着剤がシート部分の縁から漏れるのを容易に防止することができる。
【００２１】
第７の態様による袋体は、前記第１乃至第６のいずれかの態様において、前記第１のシート部分において、前記２つの引き裂き用切り込みのうちの少なくとも１つの引き裂き用切り込みの延長線上に、引き裂き用ガイドとなるミシン目あるいは連続又は断続した半抜きのラインが形成されたものである。
【００２２】
この第７の態様によれば、前記第１のシート部分に前記ミシン目又は前記半抜きのラインが形成されているので、前記第１のシート部分が直線カット性を有する層を含んでいなくても、易開封性をより向上させることができる。もっとも、前記第１乃至第６の態様では、前記第１のシート部分には前記ミシン目又は前記半抜きのラインが形成されていなくてもよいし、その場合、前記第１のシート部分が直線カット性を有する層を含んでいてもいなくてもよい。
【００２３】
第８の態様による袋体は、前記第１乃至第７のいずれかの態様において、前記第１のシート部分における前記２つの引き裂き用切り込み間の領域及びこれに対して前記引き裂き方向に並んだ領域を除く領域において、前記第１の縁を跨がるように前記第１及び第２のシート部分の外側面に貼り付けられたシートを備えたものである。前記貼り付けられたシートは、例えば、ラベルやシールなどであってもよい。
【００２４】
この第８の態様によれば、前記貼り付けられたシートによって補強されるので、例えば、開封時に、前記２つの引き裂き用切り込み間の前記第１のシート部分の前記非接着領域を摘まんで引っ張る際の力が、前記引き裂き方向に対して斜め等をなす方向に加えられたとしても、破袋し難くなる。
【００２５】
第９の態様による袋体は、一方端部側が閉塞されるとともに他方端部側が開口された筒状の胴部を有する袋体であって、前記胴部は、前記一方端部側から前記他方端部側へ延びる第１の縁を持つ第１のシート部分と、前記一方端部側から前記他方端部側へ延びる第２の縁を持つ第２のシート部分とを含み、前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、前記封筒貼り状に重ね合わされた前記第１及び第２のシート部分の前記領域間が、当該重ね合わされた領域の全領域又は一部の領域である接着領域において、接着され、前記胴部は、前記胴部の横方向に直線カット性を有する層を有するとともに前記横方向に引き裂き可能である１枚のシートで構成され、前記第１及び第２のシート部分はそれぞれ前記１枚のシートの一部であるものである。
【００２６】
この第９の態様によれば、前記第１及び第２のシート部分が封筒貼り状にされているので、特許文献１に開示された易開封包材のような合掌貼りシールが施されている袋体と異なり、接着されている部分が立ち上がる状態にならないので、容易に開封することができる。
【００２７】
また、前記第９の態様によれば、前記胴部は、前記胴部の横方向に直線カット性を有する層を有するとともに前記横方向に引き裂き可能である１枚のシートで構成されているので、前記胴部の一方の端部側を横方向に引き裂くことで開封することができることから、比較的小さな力で開封することができるとともに、不用意に開封してしまうおそれがない。
【００２８】
第１０の態様による袋体は、前記第９の態様において、前記封筒貼り状に重ね合わされた前記第１及び第２のシート部分間の前記接着領域間の接着は、接着剤による接着であり、前記第１のシート部分の前記接着領域における前記接着剤の側の層が紙であり、前記第２のシート部分の前記接着領域における前記接着剤の側の層が紙であるものである。
【００２９】
この第１０の態様によれば、前記第１のシート部分と前記第２のシート部分との間の接着剤による接着が紙同士の接着であるので、その接着を強固に行うことが容易になるとともに、当該接着剤がシート部分の縁から漏れるのを容易に防止することができる。
【００３０】
第１１の態様による袋体は、前記第１乃至第１０のいずれかの態様において、前記袋体が、前記胴部の前記一方端部側を閉塞する角底部を有する角底袋であるものである。
【００３１】
この第１１の態様は、袋体の例として角底袋を挙げたものである。もっとも、前記第１乃至第１０の態様では、袋体の具体的な形態は何ら限定されず、例えば、三方シール袋と同様の形態の袋、平底袋、ガゼット型袋、スタンディングパウチ等でもよい。
【００３２】
第１２の態様による袋詰め体は、一方端部側及び他方端部側が閉塞された筒状の胴部を有する袋体の内部に、所望の収容物を収容してなる袋詰め体であって、前記胴部は、前記一方端部側から前記他方端部側へ延びる第１の縁を持つ第１のシート部分と、前記一方端部側から前記他方端部側へ延びる第２の縁を持つ第２のシート部分とを含み、前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、前記封筒貼り状に重ね合わされた前記第１及び第２のシート部分の前記領域間が、前記第１のシート部分の前記第１の縁に沿った縁部領域の少なくとも一部を非接着領域として除いた接着領域において、接着され、前記第１のシート部分の前記非接着領域の端縁に、間隔をあけて２つの引き裂き用切り込みが形成され、前記第１及び第２のシート部分の少なくとも一方は、前記２つの引き裂き用切り込み間の前記第１のシート部分の前記非接着領域に対して引き裂き方向に並んだ前記接着領域において、易破壊層を含む２層以上の積層構造を有し、前記２つの引き裂き用切り込み間の前記第１のシート部分の前記非接着領域を摘まんで前記第１及び第２の縁と交差する引き裂き方向に引っ張ることにより、前記易破壊層が破壊されることで、前記引き裂き方向に並んだ前記接着領域において、前記摘まんだ側が残りの側から分離されるように、前記第１及び第２のシート部分の各層間の接着強度及び各層の強度が設定されたものである。
【００３３】
前記積層構造は、前記易破壊層の他に合成樹脂層を含むことが好ましい。また、前記引き裂き用切り込みは、３つ以上でもよく、例えば、当該切り込みとしてＶノッチを連続的に多数形成してもよい。
【００３４】
なお、収容物は、何ら限定されず、例えば、農薬や食品や薬品などでもよい。また、収容物は、粉体、液体、固体などでもよい。
【００３５】
第１３の態様による袋詰め体は、前記第１２の態様において、前記胴部は１枚のシートで構成され、前記第１及び第２のシート部分はそれぞれ前記１枚のシートの一部であるものである。
【００３６】
第１４の態様による袋詰め体は、前記第１２又は第１３の態様において、前記易破壊層が紙であるものである。
【００３７】
第１５の態様による袋詰め体は、前記第１２乃至第１４のいずれかの態様において、前記封筒貼り状に重ね合わされた前記第１及び第２のシート部分の前記接着領域間の接着は、ヒートシールによる接着であるものである。
【００３８】
第１６の態様による袋詰め体は、前記第１２乃至第１４のいずれかの態様において、前記封筒貼り状に重ね合わされた前記第１及び第２のシート部分の前記接着領域間の接着は、接着剤による接着であるものである。
【００３９】
第１７の態様による袋詰め体は、前記第１４の態様において、前記第１のシート部分の前記接着領域における前記接着剤の側の層が紙であり、前記第２のシート部分の前記接着領域における前記接着剤の側の層が紙であり、前記第１のシート部分の前記接着領域における前記接着剤の側の前記層及び前記第２のシート部分の前記接着領域における前記接着剤の側の前記層のうちの少なくとも一方が前記易破壊層をなすものである。
【００４０】
第１８の態様による袋詰め体は、前記第１２乃至第１７のいずれかの態様において、前記第１のシート部分において、前記２つの引き裂き用切り込みのうちの少なくとも１つの引き裂き用切り込みの延長線上に、引き裂き用ガイドとなるミシン目あるいは連続又は断続した半抜きのラインが形成されたものである。
【００４１】
第１９の態様による袋詰め体は、前記第１２乃至第１８のいずれかの態様において、前記第１のシート部分における前記２つの引き裂き用切り込み間の領域及びこれに対して前記引き裂き方向に並んだ領域を除く領域において、前記第１の縁を跨がるように前記第１及び第２のシート部分の外側面に貼り付けられたシートを備えたものである。
【００４２】
第２０の態様による袋詰め体は、一方端部側及び他方端部側が閉塞された筒状の胴部を有する袋体の内部に、所望の収容物を収容してなる袋詰め体であって、前記胴部は、前記一方端部側から前記他方端部側へ延びる第１の縁を持つ第１のシート部分と、前記一方端部側から前記他方端部側へ延びる第２の縁を持つ第２のシート部分とを含み、前記第１のシート部分の前記第１の縁側の領域と、前記第２のシート部分の前記第２の縁側の領域とが、前記第１のシート部分を外側にするとともに前記第２のシート部分を内側にして封筒貼り状に重ね合わされ、前記封筒貼り状に重ね合わされた前記第１及び第２のシート部分の前記領域間が、当該重ね合わされた領域の全領域又は一部の領域である接着領域において、接着され、前記胴部は、前記胴部の横方向に直線カット性を有する層を有するとともに前記横方向に引き裂き可能である１枚のシートで構成され、前記第１及び第２のシート部分はそれぞれ前記１枚のシートの一部であるものである。
【００４３】
第２１の態様による袋詰め体は、前記第２０の態様において、前記封筒貼り状に重ね合わされた前記第１及び第２のシート部分間の前記接着領域間の接着は、接着剤による接着であり、前記第１のシート部分の前記接着領域における前記接着剤の側の層が紙であり、前記第２のシート部分の前記接着領域における前記接着剤の側の層が紙であるものである。
【００４４】
第２２の態様による袋詰め体は、前記第１２乃至第２１のいずれかの態様において、前記袋体が、前記胴部の前記一方端部側を閉塞する角底部を有する角底袋であるものである。
【００４５】
前記第１２乃至第２２の態様による袋詰め体は、前記第１乃至第１１の態様による袋体に対応しており、その袋体内に収容物を収容したものである。
【発明の効果】
【００４６】
本発明によれば、袋体毎のばらつきが少ないほぼ一定の比較的小さな力で容易に開封することができるとともに、不用意に開封してしまうおそれがない袋体、及び、これを用いた袋詰め体を提供することができる。
【図面の簡単な説明】
【００４７】
【図１】本発明の第１の実施の形態による袋体を示す図である。
【図２】図１中のＡ−Ａ’線に沿った概略断面図である。
【図３】図２中のＢ部を拡大した概略拡大断面図である。
【図４】図１に示す袋体の開封後の状態を示す図である。
【図５】図１に示す袋体の開封過程を示す概略拡大断面図である。
【図６】図１に示す袋体の、図５に示す状態よりも開封が進行した状態を示す概略拡大断面図である。
【図７】本発明の第２の実施の形態による袋体を示す概略拡大断面図である。
【図８】図７に示す袋体の開封過程を示す概略拡大断面図である。
【図９】図７に示す袋体の、図８に示す状態よりも開封が進行した状態を示す概略拡大断面図である。
【図１０】本発明の第３の実施の形態による袋体を示す図である。
【図１１】本発明の第４の実施の形態による袋体を示す概略正面図である。
【図１２】図１１に示す袋体の概略分解斜視図である。
【図１３】本発明の第５の実施の形態による袋体の、開口部を中程度開口した状態を示す概略斜視図である。
【図１４】図１３に示す袋体の巻き折りの途中状態を示す概略斜視図である。
【図１５】図１３に示す袋体内に収容物が収容され開口部が閉塞されて袋詰め体となった状態を示す概略斜視図である。
【図１６】本発明の第６の態様による袋体を示す概略拡大断面図である。
【図１７】本発明の第７の実施の形態による袋体を示す図である。
【図１８】本発明の第８の実施の形態による袋体を示す図である。
【図１９】図１８中のＤ−Ｄ’線に沿った概略断面図である。
【図２０】本発明の第９の実施の形態による袋体内に収容物が収容され開口部が閉塞されて袋詰め体となった状態を示す概略斜視図である。
【発明を実施するための形態】
【００４８】
以下、本発明による袋体及び袋詰め体について、図面を参照して説明する。
【００４９】
［第１の実施の形態］
【００５０】
図１は、本発明の第１の実施の形態による袋体１を示す図である。図２は、図１中のＡ−Ａ’線に沿った概略断面図である。図３は、図２中のＢ部を拡大した概略拡大断面図である。
【００５１】
本実施の形態による袋体１は、一方端部側（図１中の下部側）が閉塞されるとともに他方端部側（図１中の上部側）が開口された筒状の胴部を有している。本実施の形態では、図２に示すように、前記胴部は１枚のシート２で筒状に構成されている。本実施の形態では、シート２は、図１中の上下方向（図２中の紙面に直交する方向）に延びた第１の縁２ａを有する第１のシート部分２Ａと、図１中の上下方向（図２中の紙面に直交する方向）に延びた第２の縁２ｂを有する第２のシート部分２Ｂとを含んでいる。このように、本実施の形態では、第１及び第２のシート部分２Ａ，２Ｂはそれぞれ１枚のシート２の一部である。
【００５２】
図２に示すように、第１のシート部分２Ａの第１の縁２ａ側の領域と、第２のシート部分２Ｂの第２の縁２ｂ側の領域とが、第１のシート部分２Ａを外側にするとともに第２のシート部分２Ｂを内側にして封筒貼り状に重ね合わされている。そして、前記封筒貼り状に重ね合わされた第１及び第２のシート部分２Ａ，２Ｂの前記領域間が、第１のシート部分２Ａの第１の縁２ａに沿った縁部領域の少なくとも一部を非接着領域Ｒ１として除いた接着領域Ｒ２において、接着されている。本実施の形態では、非接着領域Ｒ１は、第１の縁２ａに沿った縁部領域の全体とされているが、当該縁部領域の一部としてもよい。理解を容易にするため、図１では、第１のシート部分２Ａの接着領域Ｒ２にはハッチングを付し、また、図１及び図３では、第１のシート部分２Ａの非接着領域Ｒ１は第２のシート部分２Ｂから若干めくり上がった状態で示している。本実施の形態では、第１及び第２のシート部分２Ａ，２Ｂ間が接着領域Ｒ２で接着されることで、シート２が筒状の胴部を構成している。
【００５３】
図１に示すように、第１のシート部分２Ａの非接着領域Ｒ１の端縁に、間隔をあけて２つの引き裂き用切り込み４が形成されている。この間隔は、例えば指で摘まめる程度の間隔に設定される。本実施の形態では、引き裂き用切り込み４として、Ｉノッチが形成されているが、これに限らず、Ｖノッチ、Ｕノッチ、亀の子ノッチ（ホームベース形の五角形（先端が三角形状）の切り込み）などでもよい。本実施の形態では、引き裂き用切り込み４は２つ形成されているが、引き裂き用切り込みは、３つ以上形成してもよく、例えば、Ｖノッチを連続的に多数形成してもよい。
【００５４】
本実施の形態では、図１中のシート２の下辺に沿った領域Ｒ３においてシート２の対面する箇所間が接着されることで、前記胴部の下側が閉塞されている。本実施の形態による袋体１は、例えば、袋の製造業者等により製造され収容物の製造業者等へ供給され、収容物の製造業者等において、前記胴部の上部の開口部３から所望の収容物を前記胴部内に入れた後に、図１中の上辺に沿った領域Ｒ４においてシート２の対面する箇所間が接着されることで、上部の開口部３が閉塞されて、本発明の一実施の形態による袋詰め体が完成する。なお、本実施の形態では、領域Ｒ３におけるシート２の対面する箇所間の接着は、シート２の後述するＬＬＤＰＥ層１１同士のヒートシールによる接着によって実現されている。同様に、領域Ｒ４におけるシート２の対面する箇所間の接着も、シート２の後述するＬＬＤＰＥ層１１同士のヒートシールによる接着によって実現される。なお、収容物は、何ら限定されず、例えば、農薬や食品や薬品などでもよいし、粉体、液体、固体などでもよい。
【００５５】
本実施の形態では、第１及び第２のシート部分２Ａ，２Ｂの少なくとも一方は、前記２つの引き裂き用切り込み４間の第１のシート部分２Ａの非接着領域Ｒ１に対して引き裂き方向（図１乃至図３中の左方向）に並んだ接着領域Ｒ２において、易破壊層１４を含む２層以上の積層構造を有している。本実施の形態では、具体的には、第１及び第２のシート部分２Ａ，２Ｂを含む１枚のシート２は、図３に示すように、袋体１の内側から順に積層された、ヒートシール性及び易裂性を有する層としての直鎖状低密度ポリエチレン（ＬＬＤＰＥ）層１１、図１乃至図３中の左右方向に直線カット性が付与された層としての横一軸高密度ポリエチレン（ＨＤＰＥ）層１２、バリア性を有するバリア層としてのアルミニウム（Ａｌ）層１３と、易破壊層１４としての紙と、ヒートシール性を有する層としての低密度ポリエチレン（ＬＤＰＥ）層１５と、非ヒートシール性の層としてのポリエステル（ＰＥＴ）層１６とからなるラミネートフィルムである。ただし、本実施の形態では、接着領域Ｒ２において第１及び第２のシート部分２Ａ，２Ｂ間のヒートシールによる接着を実現するために、第２のシート部分２Ｂにおける接着領域Ｒ２では、ＰＥ層１５はＰＥＴ層１６で覆われていない。接着領域Ｒ２において、第１のシート部分２ＡのＬＬＤＰＥ層１１と第２のシート部分２ＢのＬＤＰＥ層１５との間がヒートシールにより接着されている。なお、ＰＥＴ層１６に易裂性を付与するべく、ＰＥＴ層１６として公知の微多孔処理が施されたＰＥＴ層を用いてもよい。また、シート２の各層の構成は、収容物に応じて要求される特性（例えば、ガスバリア性の要否、防水性の要否、自立性の要否など）に従って適宜変更してもよいことは、言うまでもない。
【００５６】
易開封性をより向上させるためには、本実施の形態のように、第１のシート部分２Ａは、直線カット性を有する層を含んでいることが好ましいが、本発明では、必ずしも直線カット性を有する層を含んでいる必要はない。その場合、必要に応じて、例えば、外側の層にのみミシン目又は切れ目等の引き裂き用ガイドを、引き裂き用切り込み４の延長線上に形成しておいてもよい。
【００５７】
なお、易破壊層１４は、紙に限らず、例えば、特許第３４７７１７８号公報に開示されているような非粘着性易破壊層（例えば、バインダーとこのバインダーの中に含まれる充填剤及び気泡とを有したもの）を採用してもよいし、ポリエステル合成紙（例えば、東洋紡株式会社製の「クリスパー」と称する商品などの、内部に空洞を含有するポリエステル系二軸延伸フィルム）などを採用してもよい。
【００５８】
そして、２つの引き裂き用切り込み４間の第１のシート部分２Ａの非接着領域Ｒ１を摘まんで第１及び第２の縁２ａ，２ｂと交差する引き裂き方向（図１乃至図３中の左方向）に引っ張ることにより、易破壊層１４が破壊されることで、前記引き裂き方向に並んだ接着領域Ｒ２において、図４乃至図６に示すように、前記摘まんだ側が残りの側から分離されるように、第１及び第２のシート部分２Ａ，２Ｂの各層１１〜１６間の接着強度及び各層１１〜１６の強度が設定されている。
【００５９】
図４は、図１に示す袋体１の開封後の様子を示す図である。袋体１の開封は、実際には、内部に収容物が収容され上部の開口部３が閉塞されて袋詰め体となった状態において、収容物の使用者等により行われる。しかしながら、図面表記の便宜上、図４では、袋体１の上部の開口部３が開口したままの状態で開封した状態の袋体１を示している。図５は、図１に示す袋体１の開封過程を示す概略拡大断面図であり、図３に対応している。図６は、図１に示す袋体１の、図５に示す状態よりも開封が進行した状態を示す概略拡大断面図であり、図３及び図５に対応している。
【００６０】
収容者の使用者等が袋詰め体となった袋体１を開封する場合には、２つの引き裂き用切り込み４間の第１のシート部分２Ａの非接着領域Ｒ１を指で摘まんで第１及び第２の縁２ａ，２ｂと交差する引き裂き方向（図１乃至図３中の左方向）に引っ張ると、まず、引き裂き用切り込み４を延長させるように第１のシート部分２Ａの非接着領域Ｒ１が引き裂かれていき、やがて、２つの引き裂き用切り込み４間の第１のシート部分２Ａの非接着領域Ｒ１の図３中の左端縁付近で、第２のシート部分２ＢのＬＤＰＥ層１５が破断した後に、易破壊層１４が破壊されていく（図５）。当該非接着領域Ｒ１を図１乃至図３及び図５中の左方向へ更に引っ張ると、易破壊層１４の破壊が更に進行し、２つの引き裂き用切り込み４間の第１のシート部分２Ａの非接着領域Ｒ１に対して引き裂き方向（図１乃至図３中の左方向）に並んだ接着領域Ｒ２において、前記摘まんだ側が残りの側から分離され、更に、引き裂き用切り込み４を延長させるように第１のシート部分２Ａが帯状に引き裂かれていく（図６）。当該非接着領域Ｒ１を図１乃至図３及び図５中の左方向へ更に引っ張ると、第１のシート部分２Ａが更に帯状に引き裂かれていき、袋体１が開封される（図４）。
【００６１】
なお、本実施の形態では、接着領域Ｒ２は、袋体１の図１中の左右方向の中央ではなく、右辺（胴部の右側端縁２Ｒ）寄りに配置されているので、袋体１の前面側を帯状に引き裂くだけで、大きく開封することができる。
【００６２】
本実施の形態によれば、第１及び第２のシート部分２Ａ，２Ｂが封筒貼り状にされているので、前述したように、２つの引き裂き用切り込み４間の第１のシート部分２Ａの非接着領域Ｒ１を摘まんで第１及び第２の縁２ａ，２ｂと交差する引き裂き方向（図１乃至図３中の左方向）に引っ張ることにより、当該袋体１を開封することができる。したがって、本実施の形態によれば、特許文献１に開示された易開封包材のような合掌貼りシールが施されている袋体と異なり、接着されている部分が立ち上がる状態にならないので、容易に開封することができる。
【００６３】
また、本実施の形態では、第１及び第２のシート部分２Ａ，２Ｂの少なくとも一方は、２つの引き裂き用切り込み４間の第１のシート部分２Ａの非接着領域Ｒ１に対して引き裂き方向（図１乃至図３中の左方向）に並んだ接着領域Ｒ２において、易破壊層１４を含む２層以上の積層構造を有し、２つの引き裂き用切り込み４間の第１のシート部分２Ａの非接着領域Ｒ１を摘まんで第１及び第２の縁２ａ，２ｂと交差する引き裂き方向（図１乃至図３中の左方向）に引っ張ることにより、易破壊層１４が破壊されることで、前記引き裂き方向（図１乃至図３中の左方向）に並んだ接着領域Ｒ２において、前記摘まんだ側が残りの側から分離されるように、第１及び第２のシート部分２Ａ，２Ｂの各層１１〜１６間の接着強度及び各層１１〜１６の強度が設定されている。したがって、本実施の形態によれば、開封に際して易破壊層１４の破壊が巧みに利用され、前記引っ張りによる力が易破壊層１４に面状ではなく線状に加わることで、易破壊層１４に破壊力が集中するため、比較的小さい力で易破壊層１４が破壊する。このため、本実施の形態によれば、比較的小さな力で開封することができる。一方、開封操作をしない限り、易破壊層１４には破壊力が集中することはないため、不用意に開封してしまうおそれがない。また、本実施の形態によれば、開封に際して易破壊層１４の破壊が巧みに利用されるので、第１及び第２のシート部分２Ａ，２Ｂの各層１１〜１６間の接着強度及び易破壊層１４以外の層１１〜１３，１５，１６の強度が高くても、比較的小さい力で開封することができる。このため、本実施の形態によれば、弱シールや弱接着を使用せずに比較的小さい力で開封することができるので、袋体１毎のばらつきが少ないほぼ一定の比較的小さな力で開封することができる。また、本実施の形態によれば、弱シールや弱接着を使用せずに済むので、製造時において、その弱シールや弱接着の強度のばらつきが少なくなるような厳密な管理が不要になることから、当該袋体１の製造が容易となる。
【００６４】
さらに、本実施の形態によれば、第１及び第２のシート部分２Ａ，２Ｂが同じ１枚のシート２を構成しているので、容易に製造することができる。
【００６５】
なお、本実施の形態では、第１のシート部分２Ａの第１の縁２ａが胴部の右側端縁２Ｒと重ならずに、右側端縁２Ｒから所定間隔だけ内側に配置されている。このため、２つの引き裂き用切り込み４間の第１のシート部分２Ａの非接着領域Ｒ１を摘まむ際に、指が袋体１の表面をガイド代わりとして誘導されて非接着領域Ｒ１の内側に滑り込み、非接着領域Ｒ１が摘まみ易くなる。もっとも、本発明では、第１のシート部分２Ａの第１の縁２ａが胴部の右側端縁２Ｒと重なっていてもよい。この点は、後述する各実施の形態についても同様である。
【００６６】
また、本実施の形態では、前述したように、前記引き裂き方向が図１乃至図３中の左方向になるように（すなわち、２つの引き裂き用切り込み４間の第１のシート部分２Ａの非接着領域Ｒ１を摘まんで図１乃至図３中の左方向に引っ張ることにより袋体１を開封するように）構成されているが、図１乃至図３中の左右が対称となるように構成し、前記引き裂き方向が図１乃至図３中の右方向になるように構成してもよい。この点は、後述する各実施の形態についても同様である。
【００６７】
［第２の実施の形態］
【００６８】
図７は、本発明の第２の実施の形態による袋体を示す概略拡大断面図であり、図３に対応している。図８は、図７に示す袋体の開封過程を示す概略拡大断面図であり、図５に対応している。図９は、図７に示す袋体の、図８に示す状態よりも開封が進行した状態を示す概略拡大断面図であり、図６に対応している。図７乃至図９において、図１乃至図６中の要素と同一又は対応する要素には同一符号を付し、その重複する説明は省略する。
【００６９】
本実施の形態による袋体が前記第１の実施の形態による袋体１と異なる所は、第１及び第２のシート部分２Ａ，２Ｂを含む１枚のシート２の積層構造と、各部の接着としてヒートシールによる接着に代えて接着剤による接着が採用されている点のみである。
【００７０】
本実施の形態では、第１及び第２のシート部分２Ａ，２Ｂを含む１枚のシート２は、図７に示すように、当該袋体の内側から順に積層された易破壊層１４としての紙と、低密度ポリエチレン（ＬＤＰＥ）層２１とからなるラミネートフィルムである。本実施の形態においても、前記第１の実施の形態と同様に、易破壊層１４は紙に限らない。なお、本実施の形態においても、必要に応じて、シート２において、直線カット性を有する層を積層してもよい。
【００７１】
本実施の形態では、領域Ｒ３（図１参照）におけるシート２の対面する箇所間の接着は、シート２の易破壊層１４同士を接着剤（図示せず）で接着することによって実現されている。同様に、本実施の形態では、領域Ｒ４（図１参照）におけるシート２の対面する箇所間の接着も、シート２の易破壊層１４同士を接着剤（図示せず）で接着することによって実現される。
【００７２】
また、本実施の形態では、接着領域Ｒ２において、第１のシート部分２Ａの易破壊層１４と第２のシート部分２ＢのＬＤＰＥ層２１との間が接着剤３１により接着されている。
【００７３】
本実施の形態では、２つの引き裂き用切り込み４間の第１のシート部分２Ａの非接着領域Ｒ１を摘まんで第１及び第２の縁２ａ，２ｂと交差する引き裂き方向（図１、図２及び図７中の左方向）に引っ張ることにより、易破壊層１４が破壊されることで、前記引き裂き方向に並んだ接着領域Ｒ２において、図８及び図９に示すように、前記摘まんだ側が残りの側から分離されるように、第１及び第２のシート部分２Ａ，２Ｂの各層１４，２１間の接着強度、各層１４，２１の強度及び接着剤３１の接着強度が設定されている。
【００７４】
本実施の形態によっても、前記第１の実施の形態と同様の利点が得られる。なお、本実施の形態では、接着剤３１として、弱接着の接着剤ではなく、通常の強接着の接着剤を使用することができる。なお、接着剤３１の材料は限定されるものではない。
【００７５】
なお、本実施の形態では、前述したように、シート２として易破壊層１４及びＬＤＰＥ層２１からなるラミネートフィルムが用いられているが、本発明では、これに限らない。シート２の各層の構成は、収容物に応じて要求される特性（例えば、ガスバリア性の要否、防水性の要否、自立性の要否など）に従って適宜変更してもよいことは、言うまでもない。例えば、本実施の形態のようにシート２を領域Ｒ２において接着剤３１で接着する場合、シート２として、易破壊層１４を含むものであれば、任意の押出しラミネートフィルムを用いてよいし、層同士を接着剤で接着した任意のドライラミネートフィルムを用いてもよい。具体的には、例えば、前記ＬＤＰＥ層２１に代えて、ＰＥＴ層、ナイロン層又はポリプロピレン層などを用いてもよい。また、シート２として用いるラミネートフィルムにおいて、例えば、層同士の貼り合わせに当該層の間に介在する接着剤を用いてもよいし、層同士の貼り合わせに当該層の間に介在するＬＤＰＥ層等を用いてもよい。
【００７６】
また、本発明では、本実施の形態を変形して、シート２における易破壊層１４及びＬＤＰＥ層２１の順序を、図７に示す順序と逆にしてもよい。この場合、図８に示すのと同様の状態や図９に示すのと同様の状態では、第１のシート部分２Ａにおける易破壊層１４が破壊されるのではなく、第２のシート部分２Ｂにおける易破壊層１４が破壊されることになる。この場合にも、前記ＬＤＰＥ層２１に代えて、ＰＥＴ層、ナイロン層又はポリプロピレン層などを用いてもよい。
【００７７】
［第３の実施の形態］
【００７８】
図１０は、本発明の第３の実施の形態による袋体４１を示す図であり、図１に対応している。図１０において、図１中の要素と同一又は対応する要素には同一符号を付し、その重複する説明は省略する。
【００７９】
本実施の形態による袋体４１が前記第１の実施の形態による袋体１と異なる所は、前記第１の実施の形態による袋体１では１枚のシート２からなる筒状の胴部が襠部分を有していないのに対し、本実施の形態による袋体４１では、１枚のシート２からなる筒状の胴部が襠部分２Ｃ，２Ｄを有しており、ガゼット型の袋体として構成されている点のみである。
【００８０】
本実施の形態によっても、前記第１の実施の形態と同様の利点が得られる。なお、本発明では、前記第１の実施の形態を変形して前記第２の実施の形態を得たのと同様の変形を、本実施の形態に対して適用してもよい。
【００８１】
［第４の実施の形態］
【００８２】
図１１は、本発明の第４の実施の形態による袋体５１を示す概略正面図である。図１２は、図１１に示す袋体５１の概略分解斜視図である。図１１及び図１２において、図１０及び図１中の要素と同一又は対応する要素には同一符号を付し、その重複する説明は省略する。図１１において、図１０中の領域Ｒ４に相当する領域の図示は省略している。
【００８３】
本実施の形態による袋体５１も、前記第３の実施の形態による袋体４１と同様に、ガゼット型の袋体として構成されている。本実施の形態による袋体５１が前記第３の実施の形態による袋体４１と異なる所は、前記第３の実施の形態による袋体４１では胴部が１枚のシート２で構成されているのに対し、本実施の形態による袋体５１では、図１２に示すように、胴部が、シート部分２Ａ及びシート部分２Ｂからなる前面部と、襠部分２Ｃと、襠部分２Ｄと、背面部２Ｅとに分けられて別のシートで構成され、これらが両サイドの領域Ｒ５，Ｒ６でヒートシールされることによって構成されている点のみである。
【００８４】
本実施の形態によっても、前記第３の実施の形態と同様の利点が得られる。なお、本発明では、前記第１の実施の形態を変形して前記第２の実施の形態を得たのと同様の変形を、本実施の形態に対して適用してもよい。
【００８５】
［第５の実施の形態］
【００８６】
図１３は、本発明の第５の実施の形態による袋体６１の、開口部３を中程度開口した状態を示す概略斜視図である。図１４は、図１３に示す袋体６１の巻き折りの途中状態を示す概略斜視図である。図１５は、図１３に示す袋体６１内に収容物（図示せず）が収容され開口部３が閉塞されて袋詰め体となった状態を示す概略斜視図である。図１３乃至図１５において、図１０中の要素と同一又は対応する要素には同一符号を付し、その重複する説明は省略する。
【００８７】
本実施の形態による袋体６１が前記第３の実施の形態による袋体４１と異なる所は、基本的に、前記第３の実施の形態による袋体４１では、角底部を有しておらずに、領域Ｒ３においてシート２の対面する箇所間が接着されることで、胴部の下側が閉塞されているのに対し、本実施の形態による袋体６１では、胴部の下側を閉塞する角底部２Ｆが設けられ、角底袋として構成されている点のみである。角底部２Ｆは、胴部を構成するのと同じ１枚のシート２の下側部分が公知のように折り畳まれ、かつ、その所定箇所がヒートシールや接着剤により接着されることで構成されているが、その詳細な図示は省略している。
【００８８】
本実施の形態では、袋体６１内に収容物が収容された後に、例えば、開口部３が閉じるように襠部分２Ｃ，２Ｄを折り重ねて扁平にされた開口部３側の部分が、想像線Ｌ１，Ｌ２で２回折りで巻き折りされることによって、巻き折り部２Ｇが形成される。図面には示していないが、この巻き折り部２Ｇがその巻き折り状態を保持するように所定箇所間が接着剤により接着されている。開口部３の閉塞状態がより完全になるように、図１０に示す袋体４１と同様に上辺に沿った領域（領域Ｒ４に相当）において対面する箇所間をヒートシールした後に、巻き折りして巻き折り部２Ｇを形成してもよい。あるいは、巻き折り部２Ｇを形成せずに、図１０に示す袋体４１と同様に上辺に沿った領域（領域Ｒ４に相当）において対面する箇所間をヒートシールすることによって、開口部３を閉塞してもよい。
【００８９】
本実施の形態によっても、前記第３の実施の形態と同様の利点が得られる。なお、本発明では、前記第１の実施の形態を変形して前記第２の実施の形態を得たのと同様の変形を、本実施の形態に対して適用してもよい。
【００９０】
［第６の実施の形態］
【００９１】
図１６は、本発明の第６の実施の形態による袋体を示す概略拡大断面図であり、図３に対応している。図１６において、図１乃至図６中の要素と同一又は対応する要素には同一符号を付し、その重複する説明は省略する。
【００９２】
本実施の形態による袋体が前記第１の実施の形態による袋体１と異なる所は、第１及び第２のシート部分２Ａ，２Ｂを含む１枚のシート２の積層構造と、各部の接着としてヒートシールによる接着に代えて接着剤による接着が採用されている点のみである。
【００９３】
本実施の形態では、第１及び第２のシート部分２Ａ，２Ｂを含む１枚のシート２は、図１６に示すように、当該袋体の内側から順に積層された易破壊層をなす紙７１と、低密度ポリエチレン（ＬＤＰＥ）層７２と、図１６中の左右方向に直線カット性が付与された層としての横一軸高密度ポリエチレン（ＨＤＰＥ）層７３と、低密度ポリエチレン（ＬＤＰＥ）層７４と、易破壊層をなす紙７５とからなるラミネートフィルムである。このラミネートフィルムは、例えば、紙７１とＨＤＰＥ層７３との間に溶融したＰＥ層７２を流し込むとともに、ＨＤＰＥ層７３と紙７５との間に溶融したＰＥ層７４を流し込む押出しラミネートにより製造することができる。紙７１及び紙７５は同一の紙間強度を有していてもよいし、互いに異なる紙間強度を有していてもよい。
【００９４】
本実施の形態では、領域Ｒ３（図１参照）におけるシート２の対面する箇所間の接着は、シート２の紙７１同士を接着剤（図示せず）で接着することによって実現されている。同様に、本実施の形態では、領域Ｒ４（図１参照）におけるシート２の対面する箇所間の接着も、シート２の紙７１同士を接着剤（図示せず）で接着することによって実現される。
【００９５】
また、本実施の形態では、接着領域Ｒ２において、第１のシート部分２Ａの紙７１と第２のシート部分２Ｂの紙７５との間が接着剤７６により接着されている。
【００９６】
本実施の形態では、２つの引き裂き用切り込み４間の第１のシート部分２Ａの非接着領域Ｒ１を摘まんで第１及び第２の縁２ａ，２ｂと交差する引き裂き方向（図１、図２及び図１６中の左方向）に引っ張ることにより、紙７１又は紙７５が破壊されることで、前記引き裂き方向に並んだ接着領域Ｒ２において、前記摘まんだ側が残りの側から分離されるように、第１及び第２のシート部分２Ａ，２Ｂの各層７１〜７５間の接着強度、各層７１〜７５の強度及び接着剤７６の接着強度が設定されている。
【００９７】
本実施の形態によっても、前記第１の実施の形態と同様の利点が得られる。また、本実施の形態によれば、第１のシート部分２Ａと第２のシート部分２Ｂとの間の接着剤７６による接着が紙７１，７５同士の接着であるので、その接着を強固に行うことが容易になるとともに、当該接着剤７６がシート部分２Ａ，２Ｂの縁から漏れるのを容易に防止することができる。
【００９８】
なお、本実施の形態では、接着剤７６として、弱接着の接着剤ではなく、通常の強接着の接着剤を使用することができる。なお、接着剤７６の材料は限定されるものではない。
【００９９】
［第７の実施の形態］
【０１００】
図１７は、本発明の第７の実施の形態による袋体８１を示す図であり、図１に対応している。図１７において、図１中の要素と同一又は対応する要素には同一符号を付し、その重複する説明は省略する。
【０１０１】
本実施の形態による袋体８１が前記第１の実施の形態による袋体１と異なる所は、第１及び第２のシート部分２Ａ，２Ｂを含む１枚のシート２において、直線カット性が付与された層としてのＨＤＰＥ層１２が取り除かれ、シート２が、袋体１の内側から順に積層された、ＬＬＤＰＥ層１１と、Ａｌ層１３と、易破壊層１４としての紙と、ＬＤＰＥ層１５と、ＰＥＴ層１６とからなるラミネートフィルムである点（図３も参照）と、第１のシート部分２Ａにおいて、２つの引き裂き用切り込み４のうちの少なくとも１つの引き裂き用切り込み４の延長線上に、引き裂き用ガイドとなるミシン目８２が形成されている点のみである。
【０１０２】
本実施の形態によっても、前記第１の実施の形態と同様の利点が得られる。また、本実施の形態によれば、第１のシート部分２Ａにミシン目８２が形成されているので、第１のシート部分２Ａが直線カット性を有する層としてのＨＤＰＥ層１２を含んでいないにも拘わらず、易開封性をより向上させることができる。
【０１０３】
なお、引き裂き用ガイドとして、ミシン目８２に代えて、連続又は断続した半抜きのラインが形成してもよい。このようなラインやミシン目８２は、例えば、レーザ加工により薄肉化又はカットすることで実現してもよいし、刃による打ち抜き加工又は半抜き加工で実現してもよい。
【０１０４】
なお、本実施の形態において、前記第１の実施の形態と同様に、シート２においてＨＤＰＥ層１２を設けておいてもよい。
【０１０５】
［第８の実施の形態］
【０１０６】
図１８は、本発明の第８の実施の形態による袋体９１を示す図であり、図１及び図１７に対応している。図１及び図１７では上部の開口部３がやや開いた状態で示しているが、図１８では、上部の開口部３が開いていない状態で示している。図１９は、図１８中のＤ−Ｄ’線に沿った概略断面図である。図面には示していないが、図１８中のＣ−Ｃ’線に沿った概略断面図は図２と同様となる。
【０１０７】
図１８及び図１９において、図１、図２及び図１７中の要素と同一又は対応する要素には同一符号を付し、その重複する説明は省略する。
【０１０８】
本実施の形態による袋体９１が前記第７の実施の形態による袋体１と異なる所は、第１のシート部分２Ａにおける２つの引き裂き用切り込み４間の領域及びこれに対して前記引き裂き方向に並んだ領域を除く領域において、第１の縁２ａを跨がるように第１及び第２のシート部分２Ａ，２Ｂの外側面に貼り付けられたシート９２が、追加されている点である。シート９２は、接着剤（図示せず）で接着してもよいし、ヒートシール可能であればヒートシールにより接着してもよい。シート９２の材質は何ら限定されず、また、シート９２は１層のみで構成してもよいし２層以上で構成してもよい。理解を容易にするため、図１８及び図１９では、シート９２にドットパターンを付している。シート９２は、例えば、ラベルやシールなどであってもよい。なお、本実施の形態では、シート９２が接着領域Ｒ２からその図１８中の左側の領域にまで延在するように第１のシート部分２Ａに貼り付けられているが、必ずしもこれに限らない。また、本実施の形態では、シート９２の図１８中の上辺が下側のミシン目８２の近くに配置されているが、必ずしもこれに限らない。
【０１０９】
本実施の形態によっても、前記第７の実施の形態と同様の利点が得られる。また、本実施の形態によれば、貼り付けられたシート９２によって補強されるので、誤開封等による破袋を防止することができる。この点について、前記第７の実施の形態による袋体８１と比較して以下に説明する。
【０１１０】
前記第７の実施の形態による袋体８１では、開封時に、２つの引き裂き用切り込み４間の第１のシート部分２Ａの非接着領域Ｒ１を摘まんで引っ張る際の力が、前記引き裂き方向（図１８中の左方向）に対して斜めをなす図１８中の斜め左下方向に加えられると、本来は図４に示すのと同様に引き裂かれて開封されるべきであるのに対し、接着領域Ｒ２において下側のミシン目８２付近からそれよりも下側へも易破壊層１４の破壊が進行し、当該袋体８１が破袋してしまうおそれがある。また、前記第７の実施の形態による袋体８１では、図４と同様に開封が適切に行われたとしても、その開封により開口となったミシン目８２間に指を差し入れてその部分が下側に引っ張られてしまうと、接着領域Ｒ２において下側のミシン目８２付近からそれよりも下側へも易破壊層１４の破壊が進行し、当該袋体８１が破袋してしまうおそれがある。
【０１１１】
これに対し、本実施の形態による袋体９１では、貼り付けられたシート９２によって補強されるので、そのような破袋が生じ難くなる。
【０１１２】
本実施の形態は前記第７の実施の形態においてシート９２を貼り付けた例であるが、本発明では、前記第１乃至第６の実施の形態においてシート９２と同様のシートを貼り付けてもよい。
【０１１３】
［第９の実施の形態］
【０１１４】
図２０は、本発明の第９の実施の形態による袋体１０１内に収容物（図示せず）が収容され開口部が閉塞されて袋詰め体となった状態を示す概略斜視図であり、図１５に対応している。図２０において、図１５中の要素と同一又は対応する要素には同一符号を付し、その重複する説明は省略する。
【０１１５】
本実施の形態による袋体１０１が前記第５の実施の形態による袋体６１と異なる所は、第１のシート部分２Ａの非接着領域Ｒ１の端縁に、引き裂き用切り込み４が形成されていない点である。本実施の形態では、第１のシート部分２Ａと第２のシート部分２Ｂとの間が非接着領域Ｒ１において接着されていないが、領域Ｒ１においても第１のシート部分２Ａと第２のシート部分２Ｂとの間を接着し、第１のシート部分２Ａと第２のシート部分２Ｂとの重なり領域の全領域において両者の間を接着してもよい。第１のシート部分２Ａと第２のシート部分２Ｂとの間の接着は、接着剤による接着でもよいし、ヒートシール可能であればヒートシールによる接着でもよい。
【０１１６】
本実施の形態では、袋体１０１の胴部は、前記胴部の横方向に直線カット性を有する層を有するとともに前記横方向に引き裂き可能である１枚のシートで構成され、前記第１及び第２のシート部分はそれぞれ前記１枚のシートの一部である。具体的には、このシートの構成は、例えば、前述した図３に示す構成でもよいし、図１６に示す構成でもよいし、一方側から順に積層された紙、接着剤層、横一軸高密度ポリエチレン（ＨＤＰＥ）層、接着剤層及び紙からなるドライラミネートフィルムでもよいし、必要に応じてアルミ箔又はバリア性を有したフィルムを含んでいてもよい。
【０１１７】
本実施の形態によれば、前記胴部は、前記胴部の横方向に直線カット性を有する層を有するとともに前記横方向に引き裂き可能である１枚のシートで構成されているので、例えば、図２０中の箇所Ｒ１００付近の表裏を左手指で摘まむとともに箇所Ｒ１０１付近の表裏を右手指で摘まんで点Ｐ１００からラインＬ１００に沿って引き裂くことで、ラインＬ１００から上側の部分を切り取ることによって、開封することができる。したがって、本実施の形態によれば、比較的小さな力で開封することができるとともに、不用意に開封してしまうおそれがない。
【０１１８】
また、本実施の形態によれば、前記第１及び第２のシート部分が封筒貼り状にされているので、特許文献１に開示された易開封包材のような合掌貼りシールが施されている袋体と異なり、接着されている部分が立ち上がる状態にならないので、容易に開封することができる。
【０１１９】
以上、本発明の各実施の形態及びその変形例について説明したが、本発明はこれらに限定されるものではない。例えば、本発明は、スタンディングパウチ等の他の形態の袋体にも適用することができる。なお、本発明では、前述した各実施の形態及びその変形例の各事項は、適宜組み合わせることができる。
【符号の説明】
【０１２０】
１，４１，５１，６１，８１，９１，１０１  袋体
２  シート
２Ａ  第１のシート部分
２Ｂ  第２のシート部分
２ａ  第１の縁
２ｂ  第２の縁
３  開口部
Ｒ１  非接着領域
Ｒ２  接着領域
【図１】
0006760729.tif 000002
【図２】
0006760729.tif 000003
【図３】
0006760729.tif 000004
【図４】
0006760729.tif 000005
【図５】
0006760729.tif 000006
【図６】
0006760729.tif 000007
【図７】
0006760729.tif 000008
【図８】
0006760729.tif 000009
【図９】
0006760729.tif 000010
【図１０】
0006760729.tif 000011
【図１１】
0006760729.tif 000012
【図１２】
0006760729.tif 000013
【図１３】
0006760729.tif 000014
【図１４】
0006760729.tif 000015
【図１５】
0006760729.tif 000016
【図１６】
0006760729.tif 000017
【図１７】
0006760729.tif 000018
【図１８】
0006760729.tif 000019
【図１９】
0006760729.tif 000020
【図２０】
0006760729.tif 000021